(57)【要約】【課題】主に、作業負担を軽減して取付作業性を向上すると共に、使用する部品数を減らして、コストや作業工数の削減が得られるようにする。【解決手段】建物３から張り出された張出部６の下面に軒天井板７が取付けられている軒先構造に関する。  上記軒天井板７は、その軒元側１１の縁部に、張出部６の軒元部分１２に対して横方向へ差し込んだ状態で保持可能な軒元金具１４が取付けられている。  また、上記軒天井板７は、軒先側１５の縁部に、張出部６の軒先部分１６に対して横方向から固定可能な軒先金具１８が取付けられている。【選択図】図３
2017061798.tif 000002
【特許請求の範囲】
【請求項１】
建物から張り出された張出部の下面に軒天井板が取付けられている軒先構造において、
前記軒天井板は、その軒元側の縁部に、張出部の軒元部分に対して横方向へ差し込んだ状態で保持可能な軒元金具が取付けられていると共に、
軒先側の縁部に、張出部の軒先部分に対して横方向から固定可能な軒先金具が取付けられていることを特徴とする軒先構造。
【請求項２】
請求項１に記載の軒先構造であって、
前記軒先金具は、張出部の軒先部分に対する高さ方向の位置出しが可能な位置出部を有していることを特徴とする軒先構造。
【請求項３】
請求項１または請求項２に記載の軒先構造であって、
前記軒元金具は、張出部の軒元部分に対して上側から係止保持可能な係止部を有していることを特徴とする軒先構造。
【請求項４】
請求項３に記載の軒先構造であって、
前記軒元金具は、張出部の軒元部分の下部に沿って延びる突出部を有していることを特徴とする軒先構造。
【請求項５】
請求項１ないし請求項４のいずれか１項に記載の軒先構造であって、
隣接する前記軒天井板の間に、見切縁が介在設置されていることを特徴とする軒先構造。
【請求項６】
請求項５に記載の軒先構造であって、
前記見切縁は、少なくとも軒元側に、熱によって膨張される熱膨張材を有していることを特徴とする軒先構造。
【請求項７】
請求項５または請求項６に記載の軒先構造であって、
前記見切縁は、前記軒天井板に吊り下げるための吊部を有していることを特徴とする軒先構造。
【請求項８】
請求項１ないし請求項７のいずれか１項に記載の軒先構造を有することを特徴する建物。
【請求項９】
建物から外方へ張り出された張出部の下面に軒天井板を取付ける軒先施工方法において、
軒天井板を横方向へ動かして、軒天井板の軒元側の縁部に取付けられた軒元金具を、張出部の軒元部分に対して横方向へ差し込む工程と、
軒天井板の軒先側の縁部を持ち上げることで、軒天井板の軒先側の縁部に取付けられた軒先金具を、張出部の軒先部分に当接させると共に、軒先金具を張出部の軒先部分に横方向から固定する工程とを順に行うことを特徴とする軒先施工方法。
【発明の詳細な説明】
【技術分野】
【０００１】
この発明は、軒先構造、建物、軒先施工方法に関するものである。
【背景技術】
【０００２】
建物には、張出部などを有するものが存在している。そして、建物から張り出された張出部の下面には、軒天井板が取付けられる（例えば、特許文献１〜特許文献８参照）。
【先行技術文献】
【特許文献】
【０００３】
【特許文献１】実開平３−７４７１３号公報
【特許文献２】特開平４−３６０９４３号公報
【特許文献３】特開平６−２４８７４９号公報
【特許文献４】特開平６−２５７２５３号公報
【特許文献５】特開平８−１５８５２８号公報
【特許文献６】特開平１０−２９９１５９号公報
【特許文献７】特開平８−１８９１０１号公報
【特許文献８】特開２００１−２０７５８２号公報
【発明の概要】
【発明が解決しようとする課題】
【０００４】
しかしながら、上記特許文献に記載された軒先構造は、いずれも、張出部の軒先部分や軒元部分の少なくとも一方に対して軒天井板を取付けるための支持金具などを設置したり、または、張出部の軒先部分や軒元部分に対して軒天井板を下側から直接固定したりするものとなっていた。そのため、構造が複雑になったり、使用する部品数が多くなって、コストの増加や作業工数の増加などを招いたりしていた。または、張出部の軒先部分や軒元部分に取付けられた支持金具に対し軒天井板を装着して固定する作業に要する負担が大きく、取付作業性が良くなかった。
【０００５】
そこで、本発明は、上記した問題点を解決することを、主な目的としている。
【課題を解決するための手段】
【０００６】
上記課題を解決するために、本発明は、
建物から張り出された張出部の下面に軒天井板が取付けられている軒先構造において、
前記軒天井板は、その軒元側の縁部に、張出部の軒元部分に対して横方向へ差し込んだ状態で保持可能な軒元金具が取付けられていると共に、
軒先側の縁部に、張出部の軒先部分に対して横方向から固定可能な軒先金具が取付けられていることを特徴とする。
【発明の効果】
【０００７】
本発明によれば、上記構成によって、作業負担を軽減して取付作業性を向上すると共に、使用する部品数を減らして、コストや作業工数の削減を得ることができる。
【図面の簡単な説明】
【０００８】
【図１】本実施の形態にかかる建物を示す図であり、（ａ）は側面図、（ｂ）は上階部分の平面図である。
【図２】図１（ｂ）の張出部の下面に軒天井板を取付ける状態を示す斜視図である。
【図３】図１（ｂ）のＡ−Ａ線に沿った断面図である。
【図４】張出部の下面に軒天井板を取付ける工程を示す側面図である。
【図５】図４に続く取付工程を示す側面図である。
【図６】図１（ｂ）のＢ−Ｂ線に沿った断面図である。
【図７】隣接する軒天井板の間に見切縁を取付ける工程を示す斜視図である。
【図８】図７に続く取付工程を示す斜視図である。
【図９】見切縁の全体斜視図である。
【図１０】（ａ）は見切縁の平面図、（ｂ）は見切縁の側面図、（ｃ）は見切縁の端面図である。
【図１１】（ａ）は図１０（ｂ）の見切縁のＣ−Ｃ線に沿った断面図、（ｂ）は図１０（ｂ）の見切縁のＤ−Ｄ線に沿った断面図、（ｃ）は図１０（ｂ）の見切縁のＥ−Ｅ線に沿った断面図である。
【図１２】（ａ）は吊部を構成するＬ型の金具の側面図、（ｂ）は吊部を構成するＬ型の金具の端面図である。
【発明を実施するための形態】
【０００９】
以下、本実施の形態を、図面を用いて詳細に説明する。
図１〜図１２は、この実施の形態を説明するためのものである。
【実施例１】
【００１０】
＜構成＞以下、構成について説明する。
【００１１】
図１（ａ）は下階部分１と上階部分２とを有する建物３の側面図、図１（ｂ）は建物３の上階部分２の平面図である。この場合、建物３はユニット建物とされている。このユニット建物は、予め工場で組み立てられた複数の建物ユニット５を現場へ搬送して現場で水平方向や上下方向に積み重ねることによって短期間のうちに建物３を構築し得るようにしたものである。但し、建物３は、ユニット建物に限るものではない。
【００１２】
そして、上記した建物３の上階部分２には、下階部分１に対して側方へ張り出す張出部６が設けられている。張出部６は、例えば、バルコニーや小型の居室ユニットや庇部などとすることができる。この張出部６の下面には、図２の斜視図に示すように、軒天井板７が取付けられる。この場合、軒天井板７は、塩化ビニール樹脂鋼板とロックウールとを組み合わせたものなどとされる。このような塩化ビニール樹脂鋼板とロックウールとを組み合わせ軒天井板７は、通常のケイカル板を用いたものと比べて大幅な軽量化を得ることができる。
【００１３】
そして、以上のような基本的または全体的な構成に対し、この実施例は、以下のような構成を備えている。
【００１４】
（１）図３の側方断面図（および図４、図５の取付工程図、図６の断面図）に示すように、上記軒天井板７は、その軒元側１１の縁部に、張出部６の軒元部分１２に対して横方向へ差し込むことで保持される軒元金具１４が取付けられている。
また、上記軒天井板７は、その軒先側１５の縁部に、張出部６の軒先部分１６に対して横方向から固定される軒先金具１８が取付けられている。
【００１５】
ここで、建物３がユニット建物である場合、張出部６の軒元部分１２と軒先部分１６とには、それぞれ、上下のフランジ部１２ａ，１２ｂおよび上下のフランジ部１６ａ，１６ｂと、このフランジ部１２ａ，１２ｂおよびフランジ部１６ａ，１６ｂの端部間を一体的に連結するウェブ部１２ｃおよびウェブ部１６ｃとを有するＣ字断面の梁部材が、互いに開口部分を向かい合わせにした状態で設けられる。また、横方向は、軒元金具１４の場合、図４の矢印１３の方向となり、軒先金具１８の場合、図４の矢印１７の方向となる。
【００１６】
軒元金具１４は、軒天井板７の軒元側１１の縁部に沿って延びる長尺部材とされる。また、軒先金具１８は、軒天井板７の軒先側１５の縁部に沿って延びる長尺部材とされる。軒先金具１８は、張出部６の軒先部分１６に対してネジ１９によってほぼ水平方向に固定される。ネジ１９は、軒天井板７の軒先側１５の縁部に沿って数カ所取付けられる（図２）。
【００１７】
そして、張出部６の軒元部分１２と軒先部分１６との間には、天板２１と、この天板２１の裏面側を支持する支持アーム２２とが設置されている。支持アーム２２は、張出部６の張出方向へ延びると共に、張出方向と直交する方向に間隔を有して複数本設けられている。
【００１８】
なお、図３には、上記の他に、下階部分１の天井梁１ａおよび外壁パネル１ｂと、上階部分２の床梁２ａおよび床根太２ｂと、張出部６の外壁パネル６ａと、この外壁パネル６ａの下縁部と軒天井板７との間を覆う化粧材２５と、が示されている。張出部６の外壁パネル６ａの裏面側には、遮熱シート２６が設置されている。また、図２や図６には、張出部６のコーナー部に位置する柱部材６ｂが設置されている。
【００１９】
（２）図３に示すように、上記軒先金具１８は、張出部６の軒先部分１６に対する高さ方向の位置出しが可能な位置出部３１を有している。
【００２０】
ここで、高さ方向は、上下方向のことである。軒先金具１８は、軒天井板７の軒先側１５の縁部またはその周辺に対して取付けるための取付部１８ａと、張出部６の軒先部分１６に対して取付けるための取付部１８ｂとを有するものとされる。張出部６の軒先部分１６に対して取付けるための取付部１８ｂは、張出部６の軒先部分１６を構成する梁部材のウェブ部１６ｃの外面に沿って上方へ延びる縦面部とされる。
【００２１】
そして、位置出部３１は、軒先金具１８の取付部１８ｂの途中から横方向へ突設されて、上記梁部材の下側のフランジ部１６ｂの下面に対して下側から当接可能な横面部とされる。上記した取付部１８ｂおよび位置出部３１は、張出部６の軒先部分１６を構成する梁部材のウェブ部１６ｃおよび下側のフランジ部１６ｂと合致するように、同じ角度に形成される。
【００２２】
（３）上記軒元金具１４は、張出部６の軒元部分１２に対して上側から係止保持可能な係止部４１を有している。
【００２３】
ここで、軒元金具１４は、軒天井板７の軒元側１１の縁部またはその周辺に取付けるための取付部１４ａを有するものとされる。
【００２４】
そして、係止部４１は、張出部６の軒元部分１２を構成する梁部材の下側のフランジ部１２ｂの上面に対して載置されることでフランジ部１２ｂに係止可能な横面部とされる。この係止部４１は、軒天井板７の軒元側１１の縁部に対し段差部１４ｂを有して屈曲形成される。
【００２５】
（４）上記軒元金具１４は、張出部６の軒元部分１２の下部に沿って延びる突出部４５を有している。
【００２６】
ここで、張出部６の軒元部分１２の下部は、梁部材の下側のフランジ部１２ｂの下面とされる。突出部４５は、上記した係止部４１の下側に、フランジ部１２ｂの肉厚よりも僅かに大きい間隔を有して形成される。突出部４５は、間に梁部材の下側のフランジ部１２ｂを導入し易いように、係止部４１に対して若干下り勾配となるように形成されている（導入テーパ部）。なお、突出部４５は、上記した段差部１４ｂの中間部に設けられている。
【００２７】
（５）図７、図８に示すように、隣接する上記軒天井板７の間に、見切縁５１が介在設置されている。
【００２８】
ここで、見切縁５１は、図９（〜図１１）に示すような、張出部６の張出方向へ延びる長尺の部材であり、両端には見切縁５１の設置位置を規定するためのストッパ部５２，５３が一体に設けられている。この見切縁５１は、塩化ビニール樹脂鋼板を折り曲げて、縦面部５４と横面部５５とを有する二重構造の逆Ｔ字状型にしたものとされる（図１１（ａ）参照）。
【００２９】
見切縁５１の軒元側１１のストッパ部５２は、上方へ立ち上がる立上部５６と、立上部５６の上端部から軒元側１１へ屈曲する横面部５７とを有するものとされる。この横面部５７は、見切縁５１の横面部５５に対して、軒天井板７の厚みと同じかそれよりも若干広い間隔を有して離間されている。また、見切縁５１の軒先側１５のストッパ部５３は、見切縁５１の長手方向と直交する縦面部を有するものとされている。
【００３０】
（６）上記見切縁５１は、少なくとも軒元側１１に、熱によって膨張される熱膨張材６１を有している（図１１（ｂ）参照）。
【００３１】
ここで、熱膨張材６１は、ストッパ部５２の立上部５６の両側面に対して取付けられる。この熱膨張材６１は、熱膨張性の耐火シートに粘着剤を塗布して成る防火テープなどが使用される。熱膨張性の耐火シートは、熱によって数倍に膨張するものとされている。
【００３２】
（７）上記見切縁５１は、上記軒天井板７に吊り下げるための吊部７１を有している（図１１（ｃ）参照）。
【００３３】
ここで、吊部７１は、見切縁５１の両端部近傍の位置に対し、薄平リベット７３などを用いて取付けられる。吊部７１は、縦面部７４と横面部７５とを有する左右一対のＬ型の金具を有している（図１２（ａ）（ｂ）参照）。この一対のＬ型の金具は、その縦面部７４が見切縁５１の縦面部５４の両面を挟むように取付けられることで、その横面部７５が見切縁５１の横面部５５とほぼ平行になるように取付けられる。
【００３４】
吊部７１を構成する横面部７５は、見切縁５１の横面部５５に対して、軒天井板７の厚みと同じかそれよりも若干広い間隔を有して離間されている。そして、見切縁５１は、軒天井板７の側縁部と平行な方向に差し込むように装着されるようになっている。なお、見切縁５１が取付け難い場合には、図１１（ｃ）に仮想線で示すように、横面部７５を、見切縁５１の縦面部５４に対して９０°以上の角度となるように上に曲げて使用するようにしても良い。
【００３５】
＜作用＞以下、この実施例の作用について説明する。
【００３６】
図２に示すような、建物３から外方へ張り出された張出部６の下面に軒天井板７を取付ける軒先施工方法は、以下のようにして行われる。
【００３７】
先ず、図４に示すように、軒天井板７を横方向（矢印１３）へ動かして、軒天井板７の軒元側１１の縁部に取付けられた軒元金具１４を、張出部６の軒元部分１２に対して横方向へ差し込む工程を行う。
【００３８】
この際、軒元金具１４の係止部４１を、張出部６の軒元部分１２を構成する梁部材の下側のフランジ部１２ｂの上面に対して載置させることで、軒天井板７の軒元側１１の縁部を張出部６の軒元部分１２に対して上側から係止保持させるようにする。
【００３９】
更に、軒元金具１４の係止部４１と突出部４５とで張出部６の軒元部分１２を構成する梁部材の下側のフランジ部１２ｂを上下に挟むようにする。
【００４０】
次に、軒天井板７の軒先側１５の縁部を持ち上げることで、図５に示すように、軒天井板７の軒先側１５の縁部に取付けられた軒先金具１８を、張出部６の軒先部分１６に当接させると共に、軒先金具１８を張出部６の軒先部分１６に対し横方向からネジ１９で固定する工程を行うようにする。
【００４１】
この際、軒先金具１８は、その取付部１８ｂおよび位置出部３１を、張出部６の軒先部分１６を構成する梁部材のウェブ部１６ｃおよび下側のフランジ部１６ｂに対してそれぞれ当接させるようにする。そして、位置出部３１がフランジ部１６ｂに当接されることにより、張出部６の軒先部分１６に対する高さ方向の位置出しが行われる。
【００４２】
なお、軒天井板７が複数枚取付けられる場合には、上記工程を複数回繰り返す。そして、隣接する軒天井板７の間に、図７、図８に示すように、見切縁５１を装着する（差し込む）。
【００４３】
この際、見切縁５１は、軒元側１１のストッパ部５２が張出部６の軒元部分１２に当たるまで挿入する。見切縁５１は、軒元側１１のストッパ部５２や吊部７１によって軒天井板７の上面から吊り下げられるようにして保持される。
【００４４】
＜効果＞この実施例によれば、以下のような効果を得ることができる。
【００４５】
（効果１）軒天井板７の軒先側１５の縁部に軒先金具１８が取付けられていると共に、軒天井板７の軒元側１１の縁部に軒元金具１４が取付けられている。これにより、軒天井板７を横方向（軒元側１１）へ動かして、軒元金具１４を、張出部６の軒元部分１２に対して差し込むようにすることで、軒天井板７の軒元側１１の縁部を建物３の張出部６に係止保持させることができる。また、軒天井板７の軒先側１５の縁部を持ち上げることで、軒先金具１８を、張出部６の軒先部分１６に当接させると共に、横方向から軒先金具１８を張出部６の軒先部分１６に固定して、張出部６の下面に軒天井板７を取付けることができる。
【００４６】
その結果、軒天井板７の重さの一部を建物３の張出部６に保持させた状態での作業となるので、例えば、これまでのように軒天井板７の全ての重さを支えた状態での作業と比べて、作業負担の軽減と取付作業性の向上を図ることができる。
【００４７】
また、軒先金具１８のみをネジ１９で固定するだけで、ネジ固定が完了するので、ネジ固定箇所を半減することができる。しかも、ネジ固定の方向が横方向になっているので、作業性が良い。
【００４８】
そして、軒天井板７に対して軒先金具１８と軒元金具１４とを取付けるだけなので、構造的な変更が少なくて済み、また、建物３の側（軒先部分１６や軒元部分１２）に軒天井板７を取付けるための支持金具などを設置する必要がなくなるので、その分、構造をシンプルにし、使用する部品数を大幅に減らして、コストの削減や作業工数の削減を図ることができる。
【００４９】
（効果２）軒先金具１８が位置出部３１を有している。この位置出部３１により、軒先金具１８は、建物３の張出部６に対する軒天井板７の軒先側１５の縁部の高さ方向の位置出しが容易にできるようになる。その結果、軒天井板７の設置精度を高めることができる。
【００５０】
（効果３）軒元金具１４が係止部４１を有している。この係止部４１により、軒元金具１４は、張出部６の軒元部分１２に対して、軒天井板７の軒元側１１の縁部を上側から係止した状態で保持させることができるようになる。その結果、軒天井板７の軒元側１１の縁部の重さを張出部６の軒元部分１２で支えさせることができる。また、軒天井板７の軒元側１１の縁部の高さ方向の位置出しも同時に行われるようになる。
【００５１】
（効果４）軒元金具１４は張出部６の軒元部分１２の下部に沿って延びる突出部４５を有している。この突出部４５と上記した係止部４１とで張出部６の軒元部分１２を上下から挟むことにより、軒天井板７（の軒元側１１の縁部）の上下方向のバタ付きを抑制することができる。
【００５２】
（効果５）隣接する軒天井板７の間に見切縁５１が介在設置されるようにしている。この見切縁５１により、隣接する軒天井板７の間の段差調整や隙間調整を行わせることができ、隣接する軒天井板７の間の合わせ目の見栄えを良くすることができる。
【００５３】
（効果６）見切縁５１は、少なくとも軒元側１１に熱膨張材６１を有している。よって、火災時などにこの熱膨張材６１が熱によって膨張されることで、隣接する軒天井板７の間の隙間を塞いで、防火性を発揮させることができる。
【００５４】
（効果７）見切縁５１は吊部７１を有するものとされている。この吊部７１により、見切縁５１を軒天井板７に吊り下げ状態で支持させることができる。その結果、釘やビスなどの固定部材を用いずに見切縁５１を設置することができ、その分、見切縁５１の取付作業性を向上することができる。
【００５５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５６】
３    建物
６    張出部
７    軒天井板
１１  軒元側
１２  軒元部分
１５  軒先側
１６  軒先部分
１８  軒先金具
３１  位置出部
４１  係止部
４５  突出部
５１  見切縁
６１  熱膨張材
７１  吊部
【図１】
2017061798.tif 000003
【図２】
2017061798.tif 000004
【図３】
2017061798.tif 000005
【図４】
2017061798.tif 000006
【図５】
2017061798.tif 000007
【図６】
2017061798.tif 000008
【図７】
2017061798.tif 000009
【図８】
2017061798.tif 000010
【図９】
2017061798.tif 000011
【図１０】
2017061798.tif 000012
【図１１】
2017061798.tif 000013
【図１２】
2017061798.tif 000014